(57)【特許請求の範囲】
【請求項１】
底部と、底部の相対する長辺部に形成された土手部にヒンジ連結された長側壁と、底部の相対する短辺部に形成された土手部にヒンジ連結された短側壁とから構成されているとともに、長側壁がヒンジ連結されている土手部が、短側壁がヒンジ連結されている土手部より高く構成されており、箱型に組み立てられた状態から、先ず最初に、短側壁を、底部に重なるように倒し、次いで、長側壁を、底部に重ねられた短側壁の上に重ねることにより、折り畳むことが可能な折り畳みコンテナーにおいて、折り畳みコンテナーが折り畳まれた際には、長側壁の内面に対して直交する方向に延在する係合枠が、底部の短辺部に形成された土手部を構成する垂直壁と底部の底板とにより形成される隅部に嵌まり込むように構成されているとともに、底部の底板の上面から底部の短辺部に形成された土手部を構成する垂直壁の上端までの高さを、長側壁の内面から長側壁に形成された係合枠の先端までの高さより、高く構成することにより、長側壁の内面が、底部の短辺部に形成された土手部を構成する垂直壁の上端に当接した際には、長側壁に形成された係合枠が、底部の底板に当接しないように構成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，一例として、平面形状が略長方形に形成された底部の相対する長辺部に、ヒンジ部を介して連結された長側壁と、同じく底部の相対する短辺部に、ヒンジ部を介して連結された短側壁とからなり、底部に対して略垂直に長側壁を立てた後に、短側壁を立てることにより、箱型に組み立てられ、また、折り畳む際には、底部の上に重なるように、短側壁を倒し、次いで、底部に重なるように倒された短側壁の上に、長側壁を重ねることにより、折り畳むようにした折り畳みコンテナーが知られている。
【０００３】
また、長側壁の両端部には、長側壁の壁面に対して略垂直な係合枠が形成されており、この係合枠には、複数個の嵌合孔が形成されているとともに、長側壁には、係合枠に対向する当接面を有する突出部が形成された弾性舌片が配設されている。一方、短側壁の両端部に位置する外側面には、上記の長側壁の係合枠に穿設された係合孔に嵌合する係合凸部が形成されている。そして、折り畳みコンテナーが、箱型に組み立てられた際には、先に立てられた長側壁の係合枠に穿設された係合孔に、後から立てられる短側壁の両端部に位置する外側面に突設された係合凸部を挿入するとともに、短側壁の両端部に位置する内側面に、長側壁に配設された弾性舌片の突出部の当接面を当接させることにより、組み立てられた折り畳みコンテナーの短側壁が、簡単には、底部方向に回動しないように構成されている。
【０００４】
【発明が解決しようとする課題】
上述した従来の折り畳みコンテナーが折り畳まれた状態においては、長側壁の両端部に形成された、長側壁の壁面に対して略垂直な係合枠が、底部の上面に当接しているために、折り畳まれた状態の折り畳みコンテナーを、多数、段積みした際には、長側壁に形成された係合枠に負荷がかかり、従って、係合枠が損傷するという問題があった。
【０００５】
本発明の目的は、上述した従来の折り畳みコンテナーが有する課題を解決することにある。
【０００６】
【課題を解決するための手段】
本発明は、上述した目的を達成するために、底部と、底部の相対する長辺部に形成された土手部にヒンジ連結された長側壁と、底部の相対する短辺部に形成された土手部にヒンジ連結された短側壁とから構成されているとともに、長側壁がヒンジ連結されている土手部が、短側壁がヒンジ連結されている土手部より高く構成されており、箱型に組み立てられた状態から、先ず最初に、短側壁を、底部に重なるように倒し、次いで、長側壁を、底部に重ねられた短側壁の上に重ねることにより、折り畳むことが可能な折り畳みコンテナーにおいて、折り畳みコンテナーが折り畳まれた際には、長側壁の内面に対して直交する方向に延在する係合枠が、底部の短辺部に形成された土手部を構成する垂直壁と底部の底板とにより形成される隅部に嵌まり込むように構成されているとともに、底部の底板の上面から底部の短辺部に形成された土手部を構成する垂直壁の上端までの高さを、長側壁の内面から長側壁に形成された係合枠の先端までの高さより、高く構成することにより、長側壁の内面が、底部の短辺部に形成された土手部を構成する垂直壁の上端に当接した際には、長側壁に形成された係合枠が、底部の底板に当接しないように構成したものである。
【０００７】
【実施例】
以下に、本発明の実施例について説明するが、本発明の趣旨を越えない限り何ら、本実施例に限定されるものでない。
【０００８】
平面形状が長方形状である底部１の相対する長辺部に形成された土手部１ａには、公知のように、適当なヒンジ部を介して長側壁２が連結されており、また、底部１の相対する短辺部に形成された土手部１ｂ１には、同じくヒンジ部を介して短側壁３が連結されており、長側壁２が連結された長辺側の土手部１ａの高さは、短側壁３が連結された短辺側の土手部１ｂの高さより、高く構成されている。
【０００９】
図１に示されている箱型に組み立てられた状態の折り畳みコンテナーを折り畳むには、先ず最初に、底部１の相対する短辺部の低い土手部１ｂにヒンジ連結された短側壁３を、折り畳みコンテナーの内側に倒して、図２に示されているように、底部１の上に重ねる。次いで、底部１の相対する長辺部の高い土手部１ａにヒンジ連結された長側壁２を、同じく、折り畳みコンテナーの内側に倒して、図３に示されているように、短側壁３の上に重ねて折り畳む。逆に、図３に示されている折り畳まれた状態から、図１に示されているように箱型に組み立てるには、短側壁３の上に重ねられた状態の長側壁２を略垂直に立て、次いで、短側壁３を略垂直に立てて、折り畳みコンテナーを組み立てる。
【００１０】
また、折り畳みコンテナーを箱型に組み立てた際に、短側壁３の両端面３ａと対向する長側壁２の内面２ａには、上下方向に延在する縦長の帯状凸条４が形成されている。
【００１１】
５は、長側壁２の内面２ａ方向で、且つ、内面２ａに対して直交する方向に延在する長側壁側係合枠であり、長側壁側係合枠５には、適当数の係合孔５ａが穿設されている。６は、長側壁側係合枠５付近の長側壁２に形成された弾性舌片であり、弾性舌片６の先端部には、長側壁２の内面２ａを越えて内側に突出した突出部６ａが形成されている。７は、短側壁３の両端部付近に形成された短側壁側係合枠であり、短側壁側係合枠７には、長側壁側係合枠５に穿設された係合孔５ａに挿入可能な係合凸部７ａが形成されている。
【００１２】
折り畳みコンテナーを箱型に組み立てた際には、長側壁２の長側壁側係合枠５に穿設された係合孔５ａに、短側壁３の短側壁側係合枠７に形成された係合凸部７ａが挿入されるとともに、短側壁３の内面３ｂが、長側壁２の弾性舌片６の突出部７ａに当接し、箱型に組み立てられた状態において、短側壁３が、簡単には、底部１方向に倒れないように構成されている。
【００１３】
箱型に組み立てられた折り畳みコンテナーを、折り畳む際には、先ず最初に、指等により、長側壁２に形成されている弾性舌片６を、外側に押して、弾性舌片６の突出部７ａを、短側壁３の内面３ｂから外し、その後、短側壁３を、底部１方向に倒して、底部１に重ねる。次いで、長側壁２を底部１方向に倒すことになるが、長側壁２に配設された長側壁側係合枠５は、底部１の短辺部に形成された土手部１ｂを構成する垂直壁１ｂ１と、底部１の底板１ｃとにより構成される隅部１ｄに嵌まり込むことになる。このようにして、長側壁２を、底部１に重ねられている短側壁３の上に重ねることにより、図３に示されているように、折り畳むように構成されている。
【００１４】
また、底部１の短辺部に形成された土手部１ｂを構成する垂直壁１ｂ１の、底板１ｃの上面１ｃ１から垂直壁１ｂ１の上端１ｂ２までの高さＨ１は、長側壁２の内面２ａに形成された帯状凸条４の長側壁２の内面２ａと略平行な壁面４ａから長側壁側係合枠５の先端５ｂまでの高さＨ２より、高くなるように構成されている。従って、折り畳みコンテナーの折り畳み作業において、短側壁３を、底部１方向に倒した後、長側壁２を底部１方向に倒した際には、長側壁２の内面２ａに形成された帯状凸条４の壁面４ａが、底部１の土手部１ｂを構成する垂直壁１ｂ１の上端１ｂ２に当接し、長側壁２に配設された長側壁側係合枠５の先端５ｂが、底部１の底板１ｃの上面１ｃ１に当接しないように構成されている。
【００１５】
上述したように、折り畳みコンテナーが折り畳まれた状態においては、長側壁２の内面２ａに形成された帯状凸条４の壁面４ａが、底部１の土手部１ｂを構成する垂直壁１ｂ１の上端１ｂ２に当接し、長側壁２に配設された長側壁側係合枠５は、底部１の底板１ｃの上面１ｃ１に当接しないように構成されているので、折り畳まれた状態の折り畳みコンテナーを、多数、段積みした際に、長側壁に形成された係合枠に負荷がかかるようなことがないので、係合枠が損傷するようなことを防止することができる。
【００１６】
なお、上述した実施例には、長側壁２の内面２ａに、帯状凸条４を形成した例が示されているが、このような帯状凸条４を形成を形成することなく、内面２ａを面一に形成することもできる。この場合には、長側壁２に配設された長側壁側係合枠５の高さを低くして、長側壁２の内面２ａから長側壁側係合枠５の先端５ｂまでの高さを、底部１の短辺部に形成された土手部１ｂを構成する垂直壁１ｂ１の、底板１ｃの上面１ｃ１から垂直壁１ｂ１の上端１ｂ２までの高さＨ１より低くする。このように構成することにより、折り畳みコンテナーが折り畳まれた状態において、長側壁２の内面２ａが、底部１の土手部１ｂを構成する垂直壁１ｂ１の上端１ｂ２に当接し、長側壁２に配設された長側壁側係合枠５が、底部１の底板１ｃの上面１ｃ１に当接しないように構成することができ、従って、折り畳まれた状態の折り畳みコンテナーを、多数、段積みした際に、長側壁に形成された係合枠に負荷がかかるようなことがないので、係合枠が損傷するようなことを防止することができる。
【００１７】
また、長側壁２に配設された長側壁側係合枠５が、底部１の底板１ｃの上面１ｃ１に当接する前に、先に倒された短側壁３に配設された上部フランジ３ｃや下部フランジ３ｄや側部フランジ３ｅやリブ３ｆ等に当接するように構成することもできる。
【００１８】
更に、上述した実施例には、箱型に組み立てられた折り畳みコンテナーの折り畳み作業の際に、先に、短側壁３を倒し、その後、長側壁２を倒すようにした例が示されているが、底部１の相対する長辺部に形成された土手部１ａの高さを、底部１の相対する短辺部に形成された土手部１ｂ１の高さより、低く構成することにより、先に、長側壁２を倒し、その後、短側壁３を倒すように構成することもできる。
【００１９】
【発明の効果】
本発明は、以上説明した構成を有しているので、以下に記載する効果を奏するものである。
【００２０】
後から倒される側壁に配設された係合枠が、底部に当接しないように構成したので、折り畳まれた状態の折り畳みコンテナーを、多数、段積みした際に、上記後から倒される側壁に形成された係合枠に負荷がかかるようなことがないので、係合枠が損傷するようなことを防止することができる。
【図面の簡単な説明】
【図１】図１は本発明の折り畳みコンテナーの箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの短側壁が回動途中である部分拡大斜視図である。
【図５】図５は本発明の折り畳みコンテナーが折り畳まれた状態の部分拡大斜視図である。
【符号の説明】
１・・・・・・・・・・・・底部
２・・・・・・・・・・・・長側壁
３・・・・・・・・・・・・短側壁
４・・・・・・・・・・・・帯状凸条
【図１】
0003939181.tif 000002
【図２】
0003939181.tif 000003
【図３】
0003939181.tif 000004
【図４】
0003939181.tif 000005
【図５】
0003939181.tif 000006